(57)【要約】      （修正有）【課題】機能低下を生じさせることのない補助眼鏡を提供する。【解決手段】眼鏡のフロント部分に着脱自在に取り付けられる補助眼鏡において、補助眼鏡の左右のレンズ１１，１１を連結する帯状の連結部１２を形成するとともに、この連結部１２を左右のレンズ１１，１１よりもフロント部分２２に近接した位置に配置し、連結部１２により、左右のレンズ１１，１１の間の光入射隙間を被覆するようにした。左右のレンズ１１，１１と連結部１２とが偏光シートから一体に形成されているものとするとよい。【選択図】図１
2008216754.tif 000002
【特許請求の範囲】
【請求項１】
眼鏡のフロント部分に着脱自在に取り付けられる補助眼鏡において、
部分球面状に形成された左右の球面レンズを帯状の連結部で一体に連結するとともに、この連結部を前記左右の球面レンズよりも前記フロント部分に近接した位置に配置し、
前記連結部により、前記左右のレンズの間の光入射隙間を被覆したこと、
を特徴とする補助眼鏡。
【請求項２】
前記左右のレンズと前記連結部とが偏光シートから一体に形成されていることを特徴とする請求項１に記載の補助眼鏡。
【請求項３】
前記補助眼鏡が跳ね上げ機構を有することを特徴とする請求項１又は２に記載の補助眼鏡。
【請求項４】
連結部を含む平面内に跳ね上げ回動の中心軸を位置させたことを特徴とする請求項３に記載の補助眼鏡。
【請求項５】
補助眼鏡を前記フロント部分の内側に取り付ける場合において、前記左右の球面レンズを前記眼鏡の左右のレンズよりも小さく形成したことを特徴とする請求項１〜４のいずれかに記載の補助眼鏡。
【請求項６】
前記補助眼鏡を前記フロント部分の内側に取り付ける場合において、前記補助眼鏡を前記フロント部分に装着する装着手段が、前記眼鏡の鼻パッドを支持する支持脚と、前記球面レンズに形成され、前記支持脚と係合する
係合凹部とを有することを特徴とする請求項１〜５のいずれかに記載の補助眼鏡。
【請求項７】
前記眼鏡の智又はテンプルと係合する係合凹部を前記球面レンズの両端に有することを特徴とする請求項６に記載の補助眼鏡。
【請求項８】
請求項１〜７のいずれかに記載の補助眼鏡に使用される球面レンズの成形型装置であって、
左右の球面レンズを形成するための左右の第一凹部と、この左右の第一凹部を連通状に連結する第二凹部とを有する下型と、
前記第一凹部及び前記第二凹部に対応する凸部を有し、下型と協働してシート状の材料を加圧・成形する上型と、
を有することを特徴とする成形型装置。
【発明の詳細な説明】
【技術分野】
【０００１】
本発明は、眼鏡のフロント部分に着脱自在に取り付けられる補助眼鏡及びこの補助眼鏡を製造するための成形型装置に関する。
【背景技術】
【０００２】
眼鏡のフロント部分に着脱自在に取り付けられる補助眼鏡が知られている。このような補助眼鏡は、着用した眼鏡に偏光機能や防眩機能等の他の機能を簡単に追加することができることから、多くの利用者に愛用されている（例えば、特許文献１〜４参照）。
【特許文献１】特開平９−２８１４５１号公報
【特許文献２】特開２００５−３４５８８０号公報
【特許文献３】特開２００３−２４１１４９号公報
【特許文献４】実用新案登録第３１１６２９４号公報
【０００３】
しかし、上記したような従来の補助眼鏡においては、眼鏡のフロント部分に着脱自在に補助眼鏡を取り付けるための取付具に、左右別々に偏光レンズ等のレンズを取り付けているか、左右のレンズの連結部がレンズの湾曲面と同一の湾曲面内に位置しているため、眼鏡に装着した際に、左右のレンズの間やレンズと眼鏡のフロント部分との間から太陽光や反射光が目に入射し、偏光機能や防眩機能を損なうことがあった。
【発明の開示】
【発明が解決しようとする課題】
【０００４】
本発明は上記の問題に鑑みてなされたもので、偏光機能や防眩機能等の機能低下を生じさせることのない補助眼鏡及びこの補助眼鏡を成形するための成形型装置の提供を目的とする。
【課題を解決するための手段】
【０００５】
本発明の目的を達成するために、請求項１に記載の発明は、眼鏡のフロント部分に着脱自在に取り付けられる補助眼鏡において、部分球面状に形成された左右の球面レンズを帯状の連結部で一体に連結するとともに、この連結部を前記左右の球面レンズよりも前記フロント部分に近接した位置に配置し、前記連結部により、前記左右のレンズの間の光入射隙間を被覆した補助眼鏡として構成してある。
【０００６】
フロント部分の外側に補助眼鏡を取り付ける場合には、補助眼鏡のレンズの曲率半径は、眼鏡のレンズの曲率半径と同一又は小さくなるようにするのがよい。なお、内側に取り付ける場合には、利用者のまつげと接触しないものであればよい。
左右のレンズとして球面レンズを採用し、かつ、連結部を眼鏡のフロント部分に接近させることで、眼鏡のフロント部分の周縁（特に上縁）と補助眼鏡の左右のレンズとの間の隙間をほとんど無くして、左右のレンズとレンズの間の隙間から外部光が眼に入ることを防止でき、補助眼鏡の偏光機能や防眩機能等の機能低下を効果的に抑止することができる。
【０００７】
また、特別な加工を要することなく連結部を眼鏡のフロント部分に近接した位置に形成することができるので、より機能低下の抑止効果の高い補助眼鏡を得ることができる。
特に、補助眼鏡のレンズの曲率半径を眼鏡のレンズの曲率半径とほぼ同一にすることで、眼鏡と補助眼鏡の一体感を高めることができる。さらに、補助眼鏡をフロント部分の内側（眼球側）に取り付ける場合には、内側に取り付けた補助眼鏡のレンズの内面と利用者のまつげとが接触しやすくなる、という問題が生じやすいが、両レンズの曲率半径をほぼ同じにすることで、補助眼鏡のレンズの内面と利用者のまつげとの間の間隔を十分に確保することができるようになる。
【０００８】
本発明において左右のレンズが偏光レンズである場合には、請求項２に記載するように前記左右のレンズと前記連結部とを偏光機能や防眩機能を有するシート材料から一体に形成するとよい。このようにすることで、左右のレンズの偏光軸が一致した補助眼鏡を得ることができる。
本発明の補助眼鏡は、跳ね上げ機構を有しないものであってもよいが、請求項３に記載するように、跳ね上げ機構を有するものであってもよい。
この場合、請求項４に記載するように、連結部の面の延長上に跳ね上げ回動の中心軸が位置するようにするとよい。このようにすることで、任意の跳ね上げ位置で補助眼鏡を保持させた際にも、連結部によって有効に外部光の入射を遮断することができる。
【０００９】
補助眼鏡を前記フロント部分の内側に取り付ける場合には、前記左右の球面レンズは前記眼鏡の左右のレンズと同一大きさでもよいし、前記眼鏡レンズよりも大きくてもよい。請求項５に記載するように、前記左右の球面レンズは前記眼鏡の左右のレンズよりも小さく形成してもよい。また、請求項６に記載するように、前記補助眼鏡を前記フロント部分の内側に取り付ける場合には、前記補助眼鏡を前記フロント部分に装着する装着手段が、前記眼鏡の鼻パッドを支持する支持脚と、前記球面レンズに形成され、前記支持脚と係合する係合凹部とを有する構成としてもよい。
この構成によれば、何ら部品を用いずに装着手段を形成することができるので、低コストで補助眼鏡を製造することができ、かつ、故障の発生しにくい装着手段を得ることができる。また、請求項７に記載するように、前記装着手段が、前記眼鏡の智又はテンプルと係合する係合凹部を前記球面レンズの両端に有する構成とすることで、上記の効果を維持したまま、安定的に補助眼鏡を眼鏡に装着することができる。
【００１０】
上記構成の補助眼鏡は、請求項８に記載の成形型装置によってその全部又は主要部分を成形することができる。請求項８に記載の成形型装置は、請求項１〜４のいずれかに記載の補助眼鏡に使用される球面レンズの成形型装置であって、左右の球面レンズを形成するための左右の第一凹部と、この左右の第一凹部を連通状に連結する第二凹部とを有する下型と、前記第一凹部及び前記第二凹部に対応する凸部を有し、下型と協働してシート状の材料を加圧・成形する上型とを有する構成としてある。
この成形型装置によれば、本発明の補助眼鏡の左右の球面レンズと連結部とを同時成形することができ、低コストで本発明の補助眼鏡を製造することが可能になる。
【発明の効果】
【００１１】
本発明によれば、補助眼鏡のレンズ間の隙間から入射しようとする外部光が、連結部によって効果的に遮断されるので、偏光機能や防眩機能等を低下させることがない。
左右のレンズを球面レンズとして形成した場合には、眼鏡のフロント部分の周縁（特に上縁）と補助眼鏡との間の隙間をより小さくすることができる。また、補助眼鏡をフロント部分の内側に取り付けた場合にも、利用者のまつげと補助眼鏡のレンズとの間の隙間を十分に確保することが可能になる。さらに、左右のレンズと連結部とを一体に形成すれば、補助眼鏡を丈夫なものにすることができるが、特に左右のレンズが偏光レンズである場合には、偏光軸を左右のレンズで一致させることができるという効果がある。
【発明を実施するための最良の形態】
【００１２】
以下、本発明の補助眼鏡の好適な実施形態を、図面を参照しながら詳細に説明する。
図１は、本発明の補助眼鏡の一実施形態にかかり、（ａ）はその平面図、（ｂ）はその正面図、（ｃ）はその側面図である。
【００１３】
図１に示すように、補助眼鏡１は、防眩レンズや偏光レンズ等で形成された左右の球面レンズ１１，１１と、この左右の球面レンズ１１，１１を連結する帯状の連結部１２と、補助眼鏡１を眼鏡に着脱自在に装着するための装着具１３とを有している。
球面レンズ１１，１１は、防眩レンズや偏光レンズ等の機能レンズとすることができる。この実施形態のように、眼鏡のフロント部分の外側に補助眼鏡１を取り付ける場合には、球面レンズ１１，１１の曲率半径は、眼鏡のレンズの曲率半径と同じか又は若干小さくするのが好ましい。
左右の球面レンズ１１，１１と連結部１２とは、レンズ用の樹脂シートから、例えば、後述の成形型装置を使って、プレス成形で一体に同時形成することができる。このように、左右の球面レンズ１１，１１と連結部１２とが一体に形成された補助眼鏡１は、構造的に頑丈で壊れにくいという特徴がある。また、特に球面レンズ１１，１１が偏光レンズである場合には、左右の球面レンズ１１，１１の偏光軸を一致させることができるという利点がある。
【００１４】
連結部１２は、図１（ａ）に示すように、左右の球面レンズ１１，１１よりも眼鏡のフロント部分に近接した位置にあり、左右の球面レンズ１１，１１の間の光入射隙間を埋めている。
この実施形態の補助眼鏡１のように、左右の球面レンズ１１，１１と連結部１２とをプレス成形等で一体に形成する場合には、連結部１２が左右の球面レンズ１１，１１に対して窪んだ位置（眼鏡のフロント部分に近接した位置）に配置されるように予め金型を形成しておくことで、後加工の必要がなくなり、加工コスト上有利である。
【００１５】
この実施形態の装着具１３は、例えば、特開２０００−２８６１号公報や特開２００３−２４１１４９号公報等で開示された公知のもので、左右の球面レンズ１１，１１がボルト等で取り付けられるレンズ取付バー１３０と、眼鏡のフロント部分の上縁に沿うように左右に延びる弾性脚１３１と、この弾性脚１３１の両端に形成され、フロント部分の上縁に引っ掛けるためのフック１３２と、弾性脚１３１の両端近傍から眼鏡のレンズに沿うように下方に円弧状に延びる弾性脚１３３と、この弾性脚１３３の下端に形成されたフック１３４と、レンズ取付バー１３０の中央に形成され、弾性脚１３１の中央部分が挿通するとともに、弾性脚１３１を回動自在に支持する支持チューブ１３５とを有している。支持チューブ１３５は、弾性脚１３１を任意の回動角度位置で停止可能に支持しており、これにより、球面レンズ１１，１１を任意の跳ね上げ位置で保持させることができるようになっている。
【００１６】
図２は、上記構成の補助眼鏡を眼鏡に装着した状態を示す図で、（ａ）はその平面図、（ｂ）はその正面図、図２（ｃ）は（ｂ）の補助眼鏡のX-X方向断面図である。
図２において符号２はフルリムの眼鏡で、符号２２はレンズ２１，２１を嵌め込んだフロント部分、符号２３はフロント部分２２の両側に取り付けられた智、符号２４は鼻パッドである。
眼鏡２への補助眼鏡１の装着は、装着具１３のフック１３２及びフック１３４（図１（ｃ）参照）を眼鏡２のフロント部分２２に引っ掛けることによって行う。
【００１７】
球面レンズ１１，１１の間には、フレーム部分２２に近接した位置に連結部１２が形成されているので、球面レンズ１１，１１の間の隙間から外部光が眼に入射するという不都合を効果的に防止でき、偏光機能や防眩機能といった球面レンズ１１，１１の機能の低下を防止することができる。
さらに、この実施形態では、補助眼鏡１の左右のレンズ１１，１１が球面状をなしているので、図２（ａ）に示すように眼鏡２のフロント部分２２の上縁と補助眼鏡１の上縁との間の隙間が、左右の球面レンズ１１，１１によって覆われ、前記隙間から眼に外部光が入射するという不都合も防止できる。
【００１８】
帯状の連結部１２の上下方向の幅は、補助眼鏡１のデザインと連結部１２の遮光性とを考慮して決定されるが、一般的な補助眼鏡１ではおおよそ１ｃｍ〜２ｃｍの範囲内とするとよい。もちろん、補助眼鏡１のデザインと連結部１２の遮光性との観点から、上記範囲外であってもよい。
また、跳ね上げ回動の中心軸は、連結部１２の延長面上に位置させるのが好ましい。このようにすることで、図２（ｃ）に示すように、球面レンズ１１，１１を跳ね上げ回動させても、フロント部分２２と連結部１２との間の隙間は変化しない。そのため、任意の跳ね上げ位置で球面レンズ１１，１１を停止させても、球面レンズ１１，１１の偏光機能や防眩機能等を損なうことがない。
【００１９】
次に本発明の補助眼鏡の他の実施形態について、図３及び図４を参照しながら説明する。
図３は、本発明の補助眼鏡の他の実施形態にかかり、眼鏡２のフロント部分２の内側に補助眼鏡１を取り付けた態様を示す側面断面図、図４は、補助眼鏡１をフロント部分２の内側に着脱自在に取り付ける取付手段を説明する図である。
上記の実施形態では、眼鏡２のフロント部分の外側に補助眼鏡１を着脱自在に取り付ける場合について説明したが、この実施形態では、図３に示すように、眼鏡２のフロント部分の内側に、補助眼鏡１を着脱自在に取り付けるようにしている。
【００２０】
この場合は、利用者の眼ＥのまつげＥａと補助眼鏡１の球面レンズ１１，１１との間の隙間を可能な限り大きく確保するために、球面レンズ１１，１１の曲率半径と眼鏡２のレンズ２１，２１の曲率半径とを同じにするとよい。
また、内側に補助眼鏡１を取り付ける場合の球面レンズ１１の大きさは、（ａ）に示すように眼鏡２のレンズ２１，２１とほぼ同じ大きさであってもよいが、（ｂ）に示すように、眼鏡２のレンズ２１，２１とレンズ２１，２１よりも小さくてもよい。
【００２１】
眼鏡２のフロント部分の内側への補助眼鏡１の取り付けは、先の実施形態に示したような装着具１３を用いてもよいが、図４に示すような装着手段を利用してもよい。
図４はこの実施形態の装着手段にかかり、（ａ）はその正面図、（ｂ）はその平面図である。
図４に示すように、この実施形態の装着手段は、補助眼鏡１の左右の球面レンズ１１，１１と連結部１２との間に、鼻パッド２４，２４の支持脚２４ａ，２４ａと係合する係合凹部１１ａ，１１ａを形成してなっている。そして、支持脚２４ａ，２４ａの基部に係合凹部１１ａ，１１ａを差し込んで係合させることで、眼鏡２のフロント部分に補助眼鏡１を着脱自在に取り付ける。
【００２２】
チタン等の金属で形成されている支持脚２４ａ，２４ａは、通常、図４（ｂ）に示すように湾曲した形状に形成されているため、支持脚２４ａ，２４ａの基部に係合凹部１１ａ，１１ａを係合させることで、補助眼鏡１は支持脚２４ａ，２４ａと眼鏡２の左右のレンズ２１，２１とで挟持されて安定的に保持される。
このように、係合凹部１１ａ，１１ａから装着手段を構成することで、眼鏡２に対する補助眼鏡１の着脱が容易になるばかりでなく、装着手段を形成するための他の部品が不要となり、かつ、係合凹部１１ａ，１１ａは補助眼鏡２を成形する工程で同時形成することができるので、安価なコストで補助眼鏡１を製造することができる。
【００２３】
図５及び図６は、補助眼鏡の他の実施形態を説明する図である。
図５（ａ）は、この実施形態の補助眼鏡の正面図、（ｂ）は、（ａ）の補助眼鏡を眼鏡の内側に取り付けた状態を示す正面図（眼鏡の外側から見た図）である。また、図６（ａ）は補助眼鏡３の底面図、（ｂ）は上面図、（ｃ）は右側面図である。
この実施形態の補助眼鏡３は、眼鏡２よりも若干大きく形成され、少なくとも補助眼鏡３の左右両側部分が眼鏡２の智２３まで達している。図４の補助眼鏡１と同様に、補助眼鏡３の左右の球面レンズ３１，３１と連結部３２との間に、鼻パッド２４，２４の支持脚２４ａ，２４ａと係合する第一の係合凹部３３１，３３１が形成されている。そして、支持脚２４ａ，２４ａの基部に第一の係合凹部３３１，３３１を差し込んで係合させる。
【００２４】
また、球面レンズ３１，３１の両端には、眼鏡２の智２３と係合する第二の係合凹部３３２，３３２が形成されている。そして、智２３，２３に第二の係合凹部３３２，３３２を差し込んで係合させる。
この実施形態では、第一の係合凹部３３１，３３１と第二の係合凹部３３２，３３２とで、眼鏡２に補助眼鏡３を着脱自在に装着する装着手段を構成する。
この実施形態の装着手段によれば、先の実施形態の装着手段（係合凹部１１ａ，１１ａ）よりもより安定的に補助眼鏡３を眼鏡２に装着することができる。また、第一の係合凹部３３１，３３１と第二の係合凹部３３２，３３２とは、補助眼鏡２を成形する工程で同時形成することができるので、コスト的にも有利である。
【００２５】
次に、上記構成の補助眼鏡を製造する成形型装置について説明する。
図７は、成形型装置を構成する成形型の一例を示す図で、（ａ）は成形型（下型）の平面図、（ｂ）は（ａ）のＹ−Ｙ断面である。
下型５には、補助眼鏡１の左右の球面レンズ１１，１１を形成するための二つの第一凹部５１，５１と、この第一凹部５１，５１の間に形成され、連結部１２を形成する第二凹部５２とを有している。
【００２６】
なお、上型には、図８に示すように、下型５の第一凹部５１，５１及び第二凹部５２に対応した形状の凸部６１が形成されていて、この凸部６１と第一凹部５１，５１及び第二凹部５２とが嵌合することで、偏光フィルム等のシート材料Ｓを補助眼鏡１の球面レンズ１１，１１及び連結部１２の形状に成形する。
【００２７】
図８は、図７に示す成形型を用いて球面レンズ１１，１１と連結部１２とを同時一体的に成形する工程を説明する図である。
（ａ）に示すように、下型５と上型６との間にシート材料Ｓを配置し、（ｂ）に示すように上型６を下降させて下型５と上型６とでシート材料Ｓを加熱しながら加圧し、シート材料Ｓを補助眼鏡１の球面レンズ１１，１１及び連結部１２の形状に成形する。
シート材料Ｓの冷却・固化後は、下型５と上型６とを開いて、（ｃ）に示すような成形体Ｓ′を取り出す。
このようにして成形された成形体Ｓ′は、球面レンズ１１，１１は、連結部１２が同時一体的に形成されているので、製造コストが安く、特に球面レンズ１１，１１が偏光レンズである場合には、左右の球面レンズ１１，１１の偏光軸を一致させることができるという利点がある。
【００２８】
本発明の好適な実施形態について説明したが、本発明は上記の実施形態に限定されるものではない。
例えば、上記の説明では、跳ね上げ式の補助眼鏡を前提に説明したが、本発明は跳ね上げ式に限らずあらゆる種類の補助眼鏡に適用が可能である。
また、上記の説明では球面レンズを例に挙げて説明したが、平板を湾曲させた曲面レンズであってもよい。
さらに、上記の説明では、プレス等の一体成形により左右のレンズと連結部とを形成するものとして説明したが、左右のレンズに接着やボルト等で連結部を取り付けるものとしてもよい。
また、図５，６を参照しながら説明した補助眼鏡３について、第二の係合凹部３３２はテンプルに係合するようにしてもよい。
【産業上の利用可能性】
【００２９】
本発明は、眼鏡のフロント部分に着脱自在であれば、跳ね上げ式ではない補助眼鏡にも適用が可能である。また、偏光機能や防眩機能に限らず、他の機能を有する補助眼鏡にも適用が可能である。
【図面の簡単な説明】
【００３０】
【図１】本発明の補助眼鏡の一実施形態にかかり、（ａ）はその平面図、（ｂ）はその正面図、（ｃ）はその側面図である。
【図２】図１の補助眼鏡を眼鏡に装着した状態を示す図で、（ａ）はその平面図、（ｂ）はその正面図、図２（ｃ）は連結部の作用を説明するための（ｂ）のX-X方向断面図である。
【図３】本発明の補助眼鏡の他の実施形態にかかり、眼鏡のフロント部分の内側に補助眼鏡を取り付けた態様を示す側面図である。
【図４】補助眼鏡をフロント部分の内側に着脱自在に取り付ける取付手段を説明する図である。
【図５】補助眼鏡の他の実施形態を説明する図で、（ａ）はこの実施形態の補助眼鏡の正面図、（ｂ）は（ａ）の補助眼鏡を眼鏡の内側に取り付けた状態を示す正面図（眼鏡の外側から見た図）である。
【図６】図５の補助眼鏡の底面図、上面図及び右側面図である。
【図７】成形型装置を構成する成形型の一例を示す図で、（ａ）は成形型（下型）の平面図、（ｂ）は（ａ）のＹ−Ｙ断面である。
【図８】図７に示す成形型を用いて球面レンズと連結部とを同時一体的に成形する工程を説明する図である。
【符号の説明】
【００３１】
１      補助眼鏡
１１    球面レンズ
１２    連結部
１３    装着具
１３０  レンズ取付バー
１３１  弾性脚
１３２  フック
１３３  弾性脚
１３４  フック
１３５  支持チューブ
２      眼鏡
２１    レンズ
２２    フロント部分
２３    智
２４    鼻パッド
２４ａ  支持脚
３      補助眼鏡
３１    球面レンズ
３２    連結部
３３１  第一の係合凹部脚
３３２  第二の係合凹部
【図１】
2008216754.tif 000003
【図２】
2008216754.tif 000004
【図３】
2008216754.tif 000005
【図４】
2008216754.tif 000006
【図５】
2008216754.tif 000007
【図６】
2008216754.tif 000008
【図７】
2008216754.tif 000009
【図８】
2008216754.tif 000010